(57)【特許請求の範囲】
【請求項１】
下枠と、下枠の下面に取付けた水切りとを備え、下枠は、下面の室外側に上方に凹んだ凹部を有し、水切りは、室外側取付部と室内側取付部とを有し、室外側取付部は、凹部内に位置し、室外側の縁を下枠凹部内の室外側の壁に当接すると共に、室外側の縁から離して設けた両面テープで凹部底面に接着してあり、室内側取付部は、凹部の室内側の壁より室内側に位置し、下枠下面に固定してあることを特徴とするサッシ。
【発明の詳細な説明】
【技術分野】
【０００１】
本発明は、下枠下面に水切りを取付けたサッシに関する。
【背景技術】
【０００２】
サッシにおいては、サッシ枠から流れ落ちる汚れた雨水が外壁にかかり、外壁が汚れるのを防止するため、下枠の下面に水切りを取付けることがある。従来の水切りとしては、特許文献１に記載されているように、水切りの上面に突設した係止片１３を、下枠の下面の室外側端部に形成された係止受片５ｄに係止させたものがあった。この水切りは、水切りの係止片１３と下枠の係止受片５ｄとがメタルタッチで接しているため、水切り上面と下枠下面との間に雨水が浸入するおそれがあった。水切り上面と下枠下面との間に雨水が浸入すると、雨水が溜まり易いため、躯体側に雨水が浸入するおそれがあった。
【先行技術文献】
【特許文献】
【０００３】
【特許文献１】特開２００６−３２８９４９号公報
【発明の概要】
【発明が解決しようとする課題】
【０００４】
本発明は以上に述べた実情に鑑み、水切り上面と下枠下面との間に雨水が浸入することを防止できるサッシの提供を目的とする。
【課題を解決するための手段】
【０００５】
上記の課題を達成するために請求項１記載の発明によるサッシは、下枠と、下枠の下面に取付けた水切りとを備え、下枠は、下面の室外側に上方に凹んだ凹部を有し、水切りは、室外側取付部と室内側取付部とを有し、室外側取付部は、凹部内に位置し、室外側の縁を下枠凹部内の室外側の壁に当接すると共に、室外側の縁から離して設けた両面テープで凹部底面に接着してあり、室内側取付部は、凹部の室内側の壁より室内側に位置し、下枠下面に固定してあることを特徴とする。
【発明の効果】
【０００６】
請求項１記載の発明によるサッシは、水切りの室外側取付部が下枠凹部内に位置し、止水性を有する両面テープで凹部底面に接着してあるので、水切り上面と下枠下面との間に雨水が浸入しにくい。また、両面テープは室外側取付部の室外側の縁から離して設けてあり、且つ室外側取付部の室外側の縁を下枠凹部内の室外側の壁に当接させることで、水切りを室内外方向及び左右方向に位置決めしてから両面テープを接着させられるので、施工性が良い。
【図面の簡単な説明】
【０００７】
【図１】図２のＡ−Ａ断面図である。
【図２】本発明のサッシの第１実施形態を示す室外側正面図である。
【図３】図２のＢ−Ｂ断面図である。
【図４】（ａ）は竪枠と下枠とのコーナー部を拡大して示す室外側正面図であり、（ｂ）はＣ−Ｃ断面図である。
【図５】図４のＤ−Ｄ断面図である。
【図６】同サッシの水切りの取付け手順を順に示す縦断面図である。
【図７】水切りの外壁との納まりの他の例を示す縦断面図である。
【図８】本発明のサッシの第２実施形態を示す縦断面図である。
【図９】第２実施形態の水切りの取付け手順を順に示す縦断面図である。
【図１０】本発明のサッシの第３実施形態を示す室外側正面図である。
【図１１】図１０のＥ−Ｅ断面図である。
【図１２】図１０のＦ−Ｆ断面図である。
【発明を実施するための形態】
【０００８】
以下、本発明の実施の形態を図面に基づいて説明する。図１〜５は、本発明によるサッシ７の第１実施形態であって、嵌め殺し窓に適用した場合を示している。本サッシ７は、図１〜３に示すように、上枠８と下枠１と左右の竪枠９，９を四周枠組みしてなるサッシ枠１０を躯体１１の開口部に固定し、サッシ枠１０内に複層ガラス１２を嵌め込み、室内側から押縁１３を取付けて複層ガラス１２をサッシ枠１０に固定してある。下枠１の下面には、図１に示すように、水切り２が取付けてある。
【０００９】
サッシ枠１０は、いわゆる半外付けタイプとなっており、下枠１は、図１に示すように、室内外方向の中間部に躯体固定片１４が下方に垂下して設けられ、躯体固定片１４は躯体１１の室外側面に当接して釘等の固着具（図示省略）で固定してある。躯体固定片１４の室外側の下枠１の下面には、水平な平坦面１５が形成してある。下枠１の下面の室外側位置には、上方に凹んだ凹部３を有している。凹部３の下端部には、室内外方向に延びる突片１６ａ，１６ｂが形成してあり、これにより凹部３の開口幅Ａが凹部３内の室内外方向の内寸よりも狭くなっている。凹部３の底面３ｂは、平坦で室外側に向かうにつれて下向きに若干傾斜している。
【００１０】
水切り２は、図１に示すように、室外側に向かうにつれて下り勾配で傾斜し、下枠１の室外側端よりも室外側まで張り出している。水切り２の上面には、室内外方向の中間部と室内側端部とに起立片１７，１８が設けてあり、室内外方向中間部の起立片１７の上端部より室外側に延出して室外側取付部４が形成され、室内側端部の起立片１８の上端部より室内側に延出して室内側取付部５が形成してある。室外側取付部４は、室内外方向の幅Ｂが下枠凹部３の開口幅Ａよりも大きくなっている。室外側取付部４は、下枠１下面の凹部３内に下方より挿入され、室外側の縁４ａを凹部３内の室外側の壁３ａに当接すると共に、室外側の縁４ａから離して設けた両面テープ６で凹部底面３ｂに接着してある。室内側取付部５は、下枠１下面の平坦面１５に両面テープ１９で接着してある。２箇所の両面テープ６，１９は、何れも止水性を有するものである。水切り２の下面と外壁材２０との間の隙間は、シール材２１を充填してシールしてある。
【００１１】
水切り２は、図２，３に示すように、左右両端部が左右の竪枠９，９から同じ寸法だけ側方に張り出しており、その先端には樹脂製の小口キャップ２２が取付けてある。水切り２の左右両端部は、図４，５に示すように、竪枠９との干渉を避けるために、室外側取付部４と起立片１７、室内側取付部５と起立片１８が切り欠いてある。そして、室外側取付部４と起立片１７、室内側取付部５と起立片１８の切り欠かれた小口に突き当てるようにして、水切り２の上面に止水部材２３が設けてある。止水部材２３は、水密スポンジなどからなり、下枠１下面の左右両端部及び竪枠９の下端に当接している。この止水部材２３は、水切り２の室外側取付部４と室内側取付部５を下枠１下面に取付けている両面テープ６，１９と接しており、２箇所の両面テープ６，１９を止水部材２３で連続させている。また止水部材２３は、図５に示すように、竪枠９と外壁材２０との隙間に充填されたシール材２１とも連続している。
【００１２】
次に、水切り２の下枠１への取付け方を説明する。水切り２は、室外側取付部４と室内側取付部５の上面に長手方向の全長にわたって両面テープ６，１９を予め貼り付けておき、取付け時に両面テープ６，１９上面の剥離紙を剥がして接着面を露出させる。室外側取付部４には、両面テープ６を室外側の縁４ａから離して貼っておく。
その後、図６（ａ）に示すように、水切り２を室内側が下がるように傾けて、室外側取付部４を下枠凹部３内に下から差し入れる。室外側取付部４は、起立片１７の上端より室外側に延出して設けられ、且つ室内外方向の幅Ｂが下枠凹部３の開口幅Ａよりも大きいため、室外側取付部４を下枠凹部３内に差し入れるには、必然的に水切り２をこのように傾けることになる。
次に、図６（ｂ）に示すように、室外側取付部４の室外側の縁４ａを下枠凹部３内の室外側の壁３ａに当接させることで、水切り２の室内外方向の位置決めがなされ、またこの時点では両面テープ６が非接着状態なので、水切り２が左右の竪枠９，９から同じ寸法だけ突出するように、水切り２を長手方向に適宜スライドさせて長手方向の位置決めを行う。
その後、図６（ｂ）に矢印で示すように、室外側取付部４の室外側縁の当接部を支点として、水切り２の室内側を持ち上げるように水切り２を回動させると、図６（ｃ）に示すように、室外側取付部４の両面テープ６が下枠凹部３の底面３ｂに接着され、同時に室内側取付部５の両面テープ１９が下枠１下面の平坦面１５に接着されて、水切り２が下枠１に安定して取付けられる。
【００１３】
以上に述べたように本サッシ７は、水切り２の室外側取付部４が下枠凹部３内に位置し、止水性を有する両面テープ６で凹部底面３ｂに接着してあるので、水切り２上面と下枠１下面との間に雨水が浸入しにくい。また、室外側取付部４が水切り上面から立ち上げた起立片１７の上端より室外側に延出して設けられ、その室外側取付部４を下枠凹部３の底面３ｂ近傍に位置させたことで、強風時に水切り２上面の雨水が起立片１７に風で吹き上げられても、室外側取付部４の室外側の縁４ａまで到達する前に落下し、雨水が室外側取付部４と凹部底面３ｂの間を通過するのは困難であるから、漏水を確実に防ぐことができる。
また、両面テープ６は室外側取付部４の室外側の縁４ａから離して設けてあり、且つ室外側取付部４の室外側の縁４ａを下枠凹部３内の室外側の壁３ａに当接させることで、水切り２を室内外方向及び左右方向に位置決めしてから両面テープ６を接着させられるので、施工性が良い。室外側取付部４は、起立片１７の上端より室外側に延出して設けられ、且つ室内外方向の幅Ｂが下枠凹部３の開口幅Ａよりも大きいため、水切り２の取付け時に水切り２を室内側が下がるように傾け、室外側取付部４の室外側の縁４ａを凹部３の室外側の壁３ａに向けて凹部３内に差し込むことになるので、位置決めする前に誤って両面テープ６が接着してしまうのを防止できる。
また、室内側取付部５が止水材（両面テープ１９）を介して下枠１下面に固着してあり、水切り２の左右両端部に止水部材２３を有し、止水部材２３は竪枠９に当接すると共に、室外側の両面テープ６及び室内側の止水材（両面テープ１９）と連続しているので、室外側の両面テープ６と室内側の止水材（両面テープ１９）との間が密閉空間となるため、雨水がより浸入しにくい。
下枠１の凹部３より室内側の下面をタッピングホール等の無い平坦面１５としたことで、シール材２１を打つ作業がしやすい。
【００１４】
図７は、水切り２の外壁との納まりの他の例を示している。下枠１の躯体１１との納まりは先の実施形態と同じであるが、外壁材２０が先の実施形態よりも室外側に配置され、水切り２の傾斜した部分の下面と外壁材２０との間をシール材２１でシールしている。
【００１５】
図８は、本発明のサッシの第２実施形態を示している。この水切り２は、室内側取付部５を下枠１下面に両面テープ１９で接着する代わりに、室内側の起立片１８の室外側に隣接して弾性シール材２４を水切り２の略全長にわたって設け、弾性シール材２４を下枠１下面に当接させて下枠１下面と水切り２上面との間をシールし、室内側取付部５を下枠１下面にネジ２５で固定している。弾性シール材２４は、水切り２の左右両端部に設けられる止水部材２３と連続させてある。
【００１６】
図９は、本実施形態の水切り２の取付け方を示しており、先に説明した実施形態のときと同様に、図９（ａ）に示すように、水切り２を室内側が下がるように傾けた状態で、室外側取付部４を下枠凹部３内に差し入れ、次に図９（ｂ）に示すように、室外側取付部４の室外側の縁４ａを下枠凹部３内の室外側の壁３ａに当接させた状態で水切り２の位置決めを行ってから、水切り２を室内側を持ち上げるように回動させる。すると、図９（ｃ）に示すように、室外側取付部４が下枠凹部３の底面３ｂに両面テープ６で接着されるので、後は室内側取付部５を下枠１下面にネジ２５で固定する。
【００１７】
本実施形態の水切り２は、両面テープ６による接着とネジ２５による機械的接合を併用することで、水切り２を下枠１下面により一層安定して固定できる。また、室内側の止水材である弾性シール材２４と、左右両端部に設けられる止水部材２３とを連続させるのが容易であり、止水性が良好となる。
【００１８】
図１０〜１２は、本発明に係るサッシの第３実施形態を示している。このサッシは、図１０，１１に示すように、２つのサッシ（嵌め殺しサッシ）７，７を連窓にしたものであり、隣接する竪枠９，９が連窓方立２６により連結してあり、２つのサッシ７，７の下枠１，１の下面に跨って一本の水切り２が取付けてある。水切り２は、第１実施形態と同じものを用いている。
【００１９】
連窓方立２６の下端部には、図１１，１２に示すように、端部キャップ２７が取付けてあり、水切り２は端部キャップ２７と干渉しないように、室外側取付部４と室外側の起立片１７、及び室内側取付部５と室内側の起立片１８とに切欠き２８が設けてある。そして、室外側の起立片１７の室内側と室内側の起立片１８の室外側とに、切り欠かれた部分を繋ぐように水密スポンジなどからなる止水部材２９ａ，２９ｂが設けてあり、この止水部材２９ａ，２９ｂは水切り２と下枠１の下面及び端部キャップ２７間の隙間をシールしている。
【００２０】
このように本サッシは、連窓したサッシ７，７の下枠１，１の下面に跨って一本の水切り２を取付けてあり、水切り２は室外側と室内側の取付部４，５及び起立片１７，１８だけを切り欠けばよく、水切り２の本体部を切欠く必要がないため、切欠き２８を設けた部分で水切り２の強度低下が抑えられ、水切り２を全長にわたって直線的で水平に施工できる。また、連窓方立２６の下方の水切り２上面に止水部材２９ａ，２９ｂを設け、この止水部材２９ａ，２９ｂを下枠１，１下面及び端部キャップ２７に当接させて、水切り２と下枠１の下面及び端部キャップ２７間の隙間をシールしたので、サッシ７，７同士の連結部下方からの雨水の浸入も防止できる。
【００２１】
本発明は以上に述べた実施形態に限定されない。下枠及び水切りの具体的な断面形状は、適宜変更することができる。両面テープは、止水性を有するものであればよく、その材質は問わない。室内側取付部を下枠下面に固定する手段は任意である。下枠の下面に、水切りの室内側端部位置の目印となる目印溝を設けておいてもよく、これにより水切りの取付けを行う作業者が、水切りの見込み方向の位置が正しいことを触感と視覚で確認することができるので、水切りを正しく取付けるのが一層容易となる。本発明のサッシは、嵌め殺し窓に限らず、開き窓、すべり出し窓、引き違い窓など、あらゆる窓種に対応することができる。
【符号の説明】
【００２２】
１  下枠
２  水切り
３  凹部
４  室外側取付部
５  室内側取付部
６  両面テープ
【図１】
0006420134.tif 000002
【図２】
0006420134.tif 000003
【図３】
0006420134.tif 000004
【図４】
0006420134.tif 000005
【図５】
0006420134.tif 000006
【図６】
0006420134.tif 000007
【図７】
0006420134.tif 000008
【図８】
0006420134.tif 000009
【図９】
0006420134.tif 000010
【図１０】
0006420134.tif 000011
【図１１】
0006420134.tif 000012
【図１２】
0006420134.tif 000013